(57)【特許請求の範囲】
【請求項１】
対象者にそれぞれ割り当てられたアカウントに関連付けて前記対象者のそれぞれの近況を示すコメントを記憶する記憶手段と、
前記対象者のそれぞれの近況を示すコメントごとに設定された複数の情報記録担体であり、前記対象者のそれぞれのアカウントおよびそれぞれの近況を示すコメントに関連付けられたＵＲＬが記録された複数の情報記録担体と、
端末により前記複数の情報記録担体のうち前記対象者の状況に応じて選択された情報記録担体から前記ＵＲＬが読み取られ、この読み取られたＵＲＬによりアクセスされた際に、当該ＵＲＬに関連付けられたアカウントに当該ＵＲＬに関連付けられた近況を示すコメントを関連付けて前記記憶手段に記憶する手段と
を含む近況情報作成システム。
【請求項２】
前記情報記録担体は、前記対象者の居所に設置されたものである請求項１記載の近況情報作成システム。
【請求項３】
前記情報記録担体は、前記対象者が外出時に所持するものである請求項１記載の近況情報作成システム。
【請求項４】
対象者にそれぞれ割り当てられたアカウントに関連付けて前記対象者のそれぞれの近況を示すコメントを記憶する記憶手段と、
前記対象者のそれぞれの近況を示すコメントごとに設定された複数の情報記録担体であり、前記対象者のそれぞれのアカウントおよびそれぞれの近況を示すコメントに関連付けられたＵＲＬが記録された複数の情報記録担体のうち前記対象者の状況に応じて選択された情報記録担体から端末により前記ＵＲＬが読み取られ、この読み取られたＵＲＬによりアクセスされた際に、当該ＵＲＬに関連付けられたアカウントに当該ＵＲＬに関連付けられた近況を示すコメントを関連付けて前記記憶手段に記憶する手段と
してコンピュータを機能させるための近況情報作成プログラム。
【請求項５】
対象者のそれぞれの近況を示すコメントごとに設定された複数の情報記録担体であり、前記対象者にそれぞれ割り当てられたアカウントおよびそれぞれの近況を示すコメントに関連付けられたＵＲＬが記録された複数の情報記録担体のうち前記対象者の状況に応じて選択された情報記録担体から端末により前記ＵＲＬが読み取られ、この読み取られたＵＲＬによりアクセスされた際に、コンピュータが、当該ＵＲＬに関連付けられたアカウントに当該ＵＲＬに関連付けられた近況を示すコメントを関連付けて記憶手段に記憶すること
を含む近況情報作成方法。
【請求項６】
対象者にそれぞれ割り当てられたアカウントに関連付けて日記を記憶する記憶手段と、
前記対象者のそれぞれのアカウントによって認証された第１の端末に対し、当該認証されたアカウントに関連付けて第１の日記を作成し、作成された第１の日記を当該認証されたアカウントに関連付けて前記記憶手段に記憶するための第１の日記作成画面を提供する手段と、
前記対象者のそれぞれの近況を示すコメントごとに設定された複数の情報記録担体であり、前記対象者のそれぞれのアカウントおよびそれぞれの近況を示すコメントに関連付けられたＵＲＬが記録された複数の情報記録担体と、
第２の端末により前記複数の情報記録担体のうち前記対象者の状況に応じて選択された情報記録担体から前記ＵＲＬが読み取られ、この読み取られたＵＲＬによりアクセスされた際に、当該ＵＲＬに関連付けられたアカウントに当該ＵＲＬに関連付けられた近況を示すコメントを関連付けて第２の日記を作成し、作成された第２の日記を当該アカウントに関連付けて前記記憶手段に記憶する手段と
を含む日記作成システム。
【請求項７】
対象者にそれぞれ割り当てられたアカウントに関連付けて日記を記憶する記憶手段と、
前記対象者のそれぞれのアカウントによって認証された第１の端末に対し、当該認証されたアカウントに関連付けて第１の日記を作成し、作成した第１の日記を当該認証されたアカウントに関連付けて前記記憶手段に記憶するための第１の日記作成画面を提供する手段と、
前記対象者のそれぞれの近況を示すコメントごとに設定された複数の情報記録担体であり、前記対象者のそれぞれのアカウントおよびそれぞれの近況を示すコメントに関連付けられたＵＲＬが記録された複数の情報記録担体のうち前記対象者の状況に応じて選択された情報記録担体から第２の端末により前記ＵＲＬが読み取られ、この読み取られたＵＲＬによりアクセスされた際に、当該ＵＲＬに関連付けられたアカウントに当該ＵＲＬに関連付けられた近況を示すコメントを関連付けて第２の日記を作成し、作成した第２の日記を当該アカウントに関連付けて前記記憶手段に記憶する手段と
してコンピュータを機能させるための日記作成プログラム。
【請求項８】
コンピュータが、対象者にそれぞれ割り当てられたアカウントによって認証された第１の端末に対し、当該認証されたアカウントに関連付けて第１の日記を作成するための第１の日記作成画面を提供し、この第１の日記作成画面により作成された第１の日記を当該認証されたアカウントに関連付けて記憶手段に記憶すること、
前記対象者のそれぞれの近況を示すコメントごとに設定された複数の情報記録担体であり、前記対象者のそれぞれのアカウントおよびそれぞれの近況を示すコメントに関連付けられたＵＲＬが記録された複数の情報記録担体のうち前記対象者の状況に応じて選択された情報記録担体が読み取られ、この読み取られたＵＲＬによりアクセスされた際に、コンピュータが、当該ＵＲＬに関連付けられたアカウントに当該ＵＲＬに関連付けられた近況を示すコメントを関連付けて第２の日記を作成すること
を含む日記作成方法。
【発明の詳細な説明】
【技術分野】
【０００１】
本発明は、対象者の近況に関する情報を作成する近況情報作成システム、近況情報作成プログラムおよび近況情報作成方法、並びに、対象者の近況に関する日記を作成するための日記作成システム、日記作成プログラムおよび日記作成方法に関する。
【背景技術】
【０００２】
介護スタッフ、被介護者本人およびその家族間において介護支援情報等の共有を図る介護支援システムが知られている。例えば、特許文献１には、介護支援情報等管理サーバとネットワークと介護事業所等のスタッフ、被介護者本人およびその家族等の利用者端末とから構成される介護支援システムであり、登録権限が与えられた介護事業所等のスタッフ、被介護者本人およびその家族等の利用者端末等からネットワークを介して、各種の情報を介護支援情報等管理サーバへ登録する介護支援システムが記載されている。
【０００３】
この介護支援システムでは、被介護者等の介護支援システムの利用者が、今日（その日）の体調の程度を示す選択肢ボタンを選択すると介護支援情報等管理サーバに登録されるようになっている。また、この介護支援情報等管理サーバに登録された種々の情報は、参照権限が与えられた介護事業所等のスタッフ、被介護者本人およびその家族等が参照することが可能となっている。さらに、この介護支援システムでは、血圧・脈拍等の登録を行うことも可能となっている。
【先行技術文献】
【特許文献】
【０００４】
【特許文献１】特開２０１５−２８７７２号公報
【発明の概要】
【発明が解決しようとする課題】
【０００５】
上記の介護支援システムでは、予め登録権限が与えられた介護事業所のスタッフ、被介護者本人およびその家族等のみが介護支援情報等管理サーバに登録することが可能となっている。そのため、被介護者の近況に関して情報を登録できる者が、被介護者本人以外では被介護者本人に直接関わる介護事業所のスタッフまたは家族のみに限られてしまっており、被介護者本人に直接関わりのない第三者は登録することが不可能となっている。
【０００６】
そこで、本発明においては、被介護者などのお年寄り等の見守り対象者本人に直接関わりのない第三者であっても、対象者の近況に関する情報やこれを含む日記を容易に作成することが可能な近況情報作成システム、近況情報作成プログラムおよび近況情報作成方法、並びに、日記作成システム、日記作成プログラムおよび日記作成方法を提供することを目的とする。
【課題を解決するための手段】
【０００７】
本発明の近況情報作成システムは、対象者にそれぞれ割り当てられたアカウントに関連付けて対象者の近況を示す情報を記憶する記憶手段と、対象者のそれぞれのアカウントおよび近況を示す情報に関連付けられたＵＲＬが記録された情報記録担体と、端末により情報記録担体からＵＲＬが読み取られ、この読み取られたＵＲＬによりアクセスされた際に、当該ＵＲＬに関連付けられたアカウントに当該ＵＲＬに関連付けられた近況を示す情報を関連付けて記憶手段に記憶する手段とを含むものである。
【０００８】
また、本発明の近況情報作成方法は、対象者にそれぞれ割り当てられたアカウントおよび近況を示す情報に関連付けられたＵＲＬが記録された情報記録担体から端末によりＵＲＬが読み取られ、この読み取られたＵＲＬによりアクセスされた際に、当該ＵＲＬに関連付けられたアカウントに当該ＵＲＬに関連付けられた近況を示す情報を関連付けて記憶手段に記憶することを特徴とする。
【０００９】
これらの発明によれば、対象者にそれぞれ割り当てられたアカウントおよび近況を示す情報に関連付けられたＵＲＬが記録された情報記録担体から端末によりＵＲＬが読み取られると、この読み取られたＵＲＬによりアクセスされた際に、当該ＵＲＬに関連付けられたアカウントに当該ＵＲＬに関連付けられた近況を示す情報が関連付けられて記憶手段に記憶される。
【００１０】
ここで、情報記録担体は、対象者の居所に設置されたものとすることが望ましい。これにより、対象者の居所を訪問した第三者が端末により情報記録担体からＵＲＬを読み取ることで、当該ＵＲＬに関連付けられたアカウントに当該ＵＲＬに関連付けられた近況を示す情報が関連付けて記憶手段に記憶される。
【００１１】
あるいは、情報記録担体は、対象者が外出時に所持するものとすることが可能である。これにより、対象者が外出した際、外出先において第三者が端末により情報記録担体からＵＲＬを読み取ることで、当該ＵＲＬに関連付けられたアカウントに当該ＵＲＬに関連付けられた近況を示す情報が関連付けられて記憶手段に記憶される。
【００１２】
また、本発明の近況情報作成プログラムは、対象者にそれぞれ割り当てられたアカウントに関連付けて前記対象者の近況を示す情報を記憶する記憶手段と、対象者のそれぞれのアカウントおよび近況を示す情報に関連付けられたＵＲＬが記録された情報記録担体と、端末により情報記録担体からＵＲＬが読み取られ、この読み取られたＵＲＬによりアクセスされた際に、当該ＵＲＬに関連付けられたアカウントに当該ＵＲＬに関連付けられた近況を示す情報を関連付けて記憶手段に記憶する手段としてコンピュータを機能させるためのものである。このプログラムを実行したコンピュータによれば、上記本発明の近況情報作成システムと同様の作用、効果を奏することができる。
【００１３】
本発明の日記作成システムは、対象者にそれぞれ割り当てられたアカウントに関連付けて日記を記憶する記憶手段と、対象者のそれぞれのアカウントによって認証された第１の端末に対し、当該認証されたアカウントに関連付けて第１の日記を作成し、作成された第１の日記を当該認証されたアカウントに関連付けて記憶手段に記憶するための第１の日記作成画面を提供する手段と、対象者のそれぞれのアカウントおよび近況を示す情報に関連付けられたＵＲＬが記録された情報記録担体と、第２の端末により情報記録担体からＵＲＬを読み取られ、この読み取られたＵＲＬによりアクセスされた際に、当該ＵＲＬに関連付けられたアカウントに当該ＵＲＬに関連付けられた近況を示す情報を関連付けて第２の日記を作成し、作成された第２の日記を当該アカウントに関連付けて記憶手段に記憶する手段とを含むものである。
【００１４】
また、本発明の日記作成方法は、対象者にそれぞれ割り当てられたアカウントによって認証された第１の端末に対し、当該認証されたアカウントに関連付けて第１の日記を作成するための第１の日記作成画面を提供し、この第１の日記作成画面により作成された第１の日記を当該認証されたアカウントに関連付けて記憶手段に記憶すること、対象者のそれぞれのアカウントおよび近況を示す情報に関連付けられたＵＲＬが記録された情報記録担体が読み取られ、この読み取られたＵＲＬによりアクセスされた際に、当該ＵＲＬに関連付けられたアカウントに当該ＵＲＬに関連付けられた近況を示す情報を関連付けて第２の日記を作成することを特徴とする。
【００１５】
これらの発明によれば、対象者のそれぞれのアカウントによって認証された第１の端末により第１の日記を作成するほか、対象者にそれぞれ割り当てられたアカウントおよび近況を示す情報に関連付けられたＵＲＬが記録された情報記録担体から第２の端末によりＵＲＬが読み取られると、この読み取られたＵＲＬによりアクセスされた際に、当該ＵＲＬに関連付けられたアカウントに当該ＵＲＬに関連付けられた近況を示す情報が関連付けられて記憶手段に記憶される。すなわち、対象者に直接関わりのない第三者が情報記録担体からＵＲＬを読み取ることで、当該ＵＲＬに関連付けられたアカウントに当該ＵＲＬに関連付けられた近況を示す情報が関連付けられて、対象者本人に代わり、対象者の近況に関する日記が作成される。
【００１６】
また、本発明の日記作成プログラムは、対象者にそれぞれ割り当てられたアカウントに関連付けて日記を記憶する記憶手段と、対象者のそれぞれのアカウントによって認証された第１の端末に対し、当該認証されたアカウントに関連付けて第１の日記を作成し、作成した第１の日記を当該認証されたアカウントに関連付けて記憶手段に記憶するための第１の日記作成画面を提供する手段と、対象者のそれぞれのアカウントおよび近況を示す情報に関連付けられたＵＲＬが記録された情報記録担体と、第２の端末により情報記録担体からＵＲＬが読み取られ、この読み取られたＵＲＬによりアクセスされた際に、当該ＵＲＬに関連付けられたアカウントに当該ＵＲＬに関連付けられた近況を示す情報を関連付けて第２の日記を作成し、作成した第２の日記を当該アカウントに関連付けて記憶手段に記憶する手段としてコンピュータを機能させるためのものである。このプログラムを実行したコンピュータによれば、上記本発明の日記作成システムと同様の作用、効果を奏することができる。
【発明の効果】
【００１７】
（１）対象者にそれぞれ割り当てられたアカウントおよび近況を示す情報に関連付けられたＵＲＬが記録された情報記録担体から端末によりＵＲＬが読み取られ、この読み取られたＵＲＬによりアクセスされた際に、当該ＵＲＬに関連付けられたアカウントに当該ＵＲＬに関連付けられた近況を示す情報を関連付けて記憶手段に記憶する構成により、情報記録担体から端末によりＵＲＬが読み取られると、この読み取られたＵＲＬによりアクセスされた際に、当該ＵＲＬに関連付けられたアカウントに当該ＵＲＬに関連付けられた近況を示す情報が関連付けられて記憶手段に記憶され、この記憶手段に記憶された情報により対象者の近況を知ることが可能となる。
【００１８】
（２）情報記録担体が対象者の居所に設置されたものであることにより、対象者の居所を訪問した第三者が端末により情報記録担体からＵＲＬを読み取ることで、当該ＵＲＬに関連付けられたアカウントに当該ＵＲＬに関連付けられた近況を示す情報が関連付けて記憶手段に記憶されるので、対象者の居所を第三者が訪問する度に対象者の近況を示す情報を取得することが可能となる。
【００１９】
（３）情報記録担体が、対象者が外出時に所持するものであることにより、対象者が外出した際、外出先において第三者が端末により情報記録担体からＵＲＬを読み取ることで、当該ＵＲＬに関連付けられたアカウントに当該ＵＲＬに関連付けられた近況を示す情報が関連付けられて記憶手段に記憶されるので、対象者が外出先において第三者に情報記録担体からＵＲＬを読み取ってもらうタイミングで対象者の近況を示す情報を取得することが可能となる。
【００２０】
（４）対象者にそれぞれ割り当てられたアカウントによって認証された第１の端末に対し、当該認証されたアカウントに関連付けて第１の日記を作成するための第１の日記作成画面を提供し、この第１の日記作成画面により作成された第１の日記を当該認証されたアカウントに関連付けて記憶手段に記憶し、対象者のそれぞれのアカウントおよび近況を示す情報に関連付けられたＵＲＬが記録された情報記録担体が読み取られ、この読み取られたＵＲＬによりアクセスされた際に、当該ＵＲＬに関連付けられたアカウントに当該ＵＲＬに関連付けられた近況を示す情報を関連付けて第２の日記を作成する構成により、対象者に直接関わりのない第三者であっても、情報記録担体からＵＲＬを読み取ることで、対象者本人に代わり、対象者の近況に関する日記を容易に作成することが可能となる。
【図面の簡単な説明】
【００２１】
【図１】本発明の実施の形態における日記作成システムの概略構成図である。
【図２】日記表示ページ提供手段により提供されるウェブページの例を示す図である。
【図３】第１の日記作成のウェブページの例を示す図である。
【図４】（ａ）はお年寄りの活動状態を表すアイコンの例を示す図、（ｂ）はお年寄りの表情状態を表すアイコンの例を示す図である。
【図５】詳細入力のためのウェブページの例を示す図である。
【図６】バイタル簡易入力のためのウェブページの例を示す図である。
【図７】第１の日記確認のウェブページの例を示す図である。
【図８】二次元コードの設定のためのウェブページの例を示す図である。
【図９】完了画面のウェブページの例を示す図である。
【図１０】日記のカレンダー画面のウェブページの例を示す図である。
【図１１】第２の日記表示のウェブページの例を示す図である。
【発明を実施するための形態】
【００２２】
図１は本発明の実施の形態における日記作成システムの概略構成図である。図１において、本発明の実施の形態における日記作成システムは、日記を作成する対象者としてのお年寄りの近況に関する日記を作成するためのものであり、通信ネットワークとしてのインターネットに接続された日記装置１と、インターネットを介して日記装置１にアクセス可能なスマートフォン等の第１および第２の端末２，３等とにより構成される。なお、本明細書中において、お年寄り本人またはその関係者が作成する日記を「第１の日記」、第三者が作成する日記を「第２の日記」と称す。
【００２３】
第１の端末２は、お年寄り本人またはその関係者が第１の日記の作成および日記を参照するために使用するものである。なお、お年寄りには、それぞれＩＤおよびパスワードにより認証されるアカウントが予め割り当てられ、日記装置１に登録されている。また、このお年寄りの関係者、すなわち、お年寄りの家族や介護スタッフ等の関係者にもそれぞれＩＤおよびパスワードにより認証されるアカウントが予め割り当てられ、日記装置１に登録されている。また、お年寄りの関係者のアカウントには、それぞれが関係するお年寄りのアカウントが関連付けされている。
【００２４】
また、お年寄りのそれぞれのアカウントには、それぞれのアカウントおよび近況を示す情報に関連付けられたＵＲＬが記録された情報記録担体としての二次元コード４が付与されている。二次元コード４は、例えば次のようなＵＲＬから生成される。
https://XXXXXX/family/dropby.php?family_id=YY&comment_id=ZZ
ここで、XXXXXXには日記装置１のインターネット上のＩＰアドレス（サーバ名）が、YYにはお年寄りのアカウントを示すＩＤが、ZZには近況を示す情報としてのコメント番号が、それぞれ割り当てられる。なお、二次元コード４の詳細については後述する。
【００２５】
第２の端末３は、第三者が使用するものである。なお、第三者は、お年寄り本人に直接関わりのない者を想定しているが、お年寄り本人およびその関係者であっても良い。第三者は日記装置１にアカウントが登録されていることを要しない。
【００２６】
日記装置１は、お年寄りにそれぞれ割り当てられたアカウントに関連付けて日記を記憶する記憶手段１０と、お年寄り本人またはその関係者が第１の日記を作成するための第１の日記作成画面としてのウェブページを提供する手段としての第１日記作成ページ提供手段１１と、第三者が二次元コード４を読み取ることにより第２の日記を作成する第２日記作成手段１２と、日記を表示する日記表示画面としてのウェブページを提供する手段としての日記表示ページ提供手段１３と、二次元コード４の設定を行う二次元コード設定画面としてのウェブページを提供する二次元コード設定手段１４とを有する。
【００２７】
図８は二次元コード４の設定のためのウェブページの例を示している。二次元コード設定手段１４は、お年寄りまたはその関係者のそれぞれのアカウントによって認証された第１の端末２に対し、お年寄り本人またはその関係者に関連付けられたお年寄りのアカウントに関連付けられた近況を示す情報を設定するためのウェブページ６０を提供する。このウェブページ６０では、複数の二次元コード６１ａ，６２ａに対してそれぞれ近況を示す情報としてのコメント６１ｂ，６２ｂを設定することが可能となっている。ここで設定されるコメント６１ｂ，６２ｂには、それぞれコメント番号ZZが割り当てられている。二次元コード設定手段１４は、それぞれのお年寄りのアカウントを示すＩＤおよびコメント番号ZZを含む前述のＵＲＬからそれぞれの二次元コード６１ａ，６２ａを生成する。設定されたコメント６１ｂ，６２ｂはお年寄りのＩＤおよびコメント番号ZZに関連付けて記憶手段１０に記憶される。こうして生成された二次元コード６１ａ，６２ａは、印刷してお年寄りの居宅などの居所の玄関等に設置する。
【００２８】
日記表示ページ提供手段１３は、お年寄りまたはその関係者のそれぞれのアカウントによって認証された第１の端末２に対し、認証されたお年寄り本人またはその関係者に紐付けされたお年寄りの近況に関する日記を記憶手段１０から取得し、提供する。図２は日記表示ページ提供手段１３により第１の端末２に提供されるウェブページ２０の例を示している。
【００２９】
第１日記作成ページ提供手段１１は、お年寄りまたはその関係者のそれぞれのアカウントによって認証された第１の端末２に対し、お年寄り本人またはその関係者に関連付けられたお年寄りの近況に関する第１の日記を作成するための第１のウェブページを提供する。上述の日記表示ページ提供手段１３により第１の端末２に提供された図２のウェブページ２０の日記作成ボタン２１がタップ（指定）された場合に、第１日記作成ページ提供手段１１は第１の端末２に図３に示す第１の日記を作成するためのウェブページ３０を提供する。
【００３０】
図３に示すように第１の日記作成のウェブページ３０には、お年寄りの状態を複数のアイコンの中から選択することにより入力する状態選択欄３１と、写真ファイルを選択して入力する写真選択欄３２と、お年寄りの様子を文字により入力する様子入力欄３３とが設けられている。状態選択欄３１では、活動タブ３１ａによってお年寄りの活動状態を表すアイコンを選択でき、表情タブ３１ｂによってお年寄りの表情状態を表すアイコンを選択できるようになっている。図４（ａ）は活動タブ３１ａによって選択可能な活動状態を表すアイコンの例を、図４（ｂ）は表情タブ３１ｂによって選択可能な表情状態を表すアイコンの例をそれぞれ示している。
【００３１】
また、第１の日記作成のウェブページ３０には、さらに詳細な情報を入力するための詳細入力ボタン３４が設けられている。この詳細入力ボタン３４がタップ（指定）されると、第１日記作成ページ提供手段１１は図５に示すような詳細入力のためのウェブページ４０を第１の端末２へ提供する。図５に示すように、詳細入力のウェブページ４０では、お年寄りの体温、血圧や脈拍等のバイタルや、介護スタッフへの伝言を入力することが可能となっている。
【００３２】
また、図５に示すバイタル簡易入力ボタン４１がタップ（指定）されると、第１日記作成ページ提供手段１１は図６に示すようなバイタル簡易入力のためのウェブページ４２を第１の端末２へ提供する。図６に示すように、バイタル簡易入力のウェブページ４２では、体温、最高血圧、最低血圧や脈拍等の各数値を選択してタップ（指定）するだけで各バイタルを簡易入力することが可能となっている。
【００３３】
図３に戻って、上記各入力が完了した後、次へボタン３５がタップ（指定）されると、第１日記作成ページ提供手段１１は図７に示すような日記確認のウェブページ５０を第１の端末２へ提供する。この日記確認のウェブページ５０には、状態選択欄３１により選択されたアイコン５１、様子入力欄３３により入力されたお年寄りの様子５２、写真選択欄３２により選択された写真５３、詳細入力のウェブページ４０から入力されたバイタル５４および介護スタッフへの伝言５５が含まれる。
【００３４】
ここで、完了ボタン５６がタップ（指定）されると、第１日記作成ページ提供手段１１は作成された第１の日記を当該認証されたアカウントに関連付けて、すなわち、第１の端末２のお年寄り本人またはその関係者に関連付けられたお年寄りの日記として記憶手段１０に記憶する。
【００３５】
第２日記作成手段１２は、お年寄りの居所に設置された二次元コード４（二次元コード６１ａ，６１ｂなど）が来訪者などの第三者の第２の端末３により読み取られ、この読み取られた二次元コード４に含まれるＵＲＬによりアクセスされた際に、当該ＵＲＬに関連付けられたアカウントに当該ＵＲＬに関連付けられた近況を示す情報を関連付け第２の日記を作成し、作成された第２の日記を当該アカウントに関連付けて記憶手段１０に記憶する。
【００３６】
来訪者などの第三者は、複数の二次元コード６１ａ，６１ｂの中から状況に応じて適切な二次元コード４を選択して、第２の端末３により読み取り、この読み取られた二次元コード４に含まれるＵＲＬによりアクセスする。第２日記作成手段１２は、このＵＲＬに関連付けられたＩＤおよびコメント番号ZZに関連付けて第２の日記を作成し、記憶手段１０に記憶するとともに、図９に示す完了画面のウェブページ７０を第２の端末３に提供する。
【００３７】
この第２日記作成手段１２により作成された第２の日記は、日記表示ページ提供手段１３により図１０および図１１に示すように第１の端末２に提供される。図１０は日記のカレンダー画面のウェブページの例を示す図、図１１は第２の日記表示のウェブページの例を示す図である。
【００３８】
図１０に示すように、日記のカレンダー画面のウェブページ８０には、第２日記作成手段１２により作成された第２の日記が、お年寄りの居所に設置された二次元コード４の読み取りにより作成された日記であることを示すアイコンボタン８１として表示される。なお、前述の第１日記作成ページ提供手段１１により作成された第１の日記は、図２に示すようにお年寄り本人またはその関係者により作成された日記であることを示すアイコンボタン２２として表示される。
【００３９】
ここで、アイコンボタン８１がタップ（指定）されると、日記表示ページ提供手段１３は第１の端末２に対し、指定された日記を記憶手段１０から取得し、図１１に示すように表示する。図１１に示す日記のウェブページ９０には、読み取られた二次元コード４（図示例では二次元コード６１ａ）に関連付けられたコメント番号ZZに対応するコメント６１ｂの内容９１が含まれる。
【００４０】
上記のように本実施形態における日記作成システムでは、お年寄りのそれぞれのアカウントおよび近況を示す情報に関連付けられたＵＲＬを含む二次元コード４をお年寄りの居所に設置しておき、第三者の来訪時に、この二次元コード４を第三者の第２の端末３により読み取ることで、第三者がお年寄りの近況に関する日記を作成することが可能となっている。このとき、第三者は日記装置１にアカウントが登録されている必要はなく、お年寄り等の見守り対象者本人に直接関わりのない第三者であっても容易に日記を作成することが可能である。
【００４１】
なお、上記実施形態においては、お年寄りのそれぞれのアカウントに関連付けられたＵＲＬおよび近況に関する情報が記録された情報記録担体として二次元コード４を用いているが、これに代えてＩＣチップを用いることも可能である。要するに、第２の端末３により読み取り可能な情報記録担体であれば使用可能である。
【００４２】
また、上記実施形態においては、第１および第２の日記作成画面や日記表示画面としてウェブページを提供するが、ウェブページ以外にも専用のアプリケーションにより提供する形式を採用することも可能である。
【００４３】
また、本実施形態においては、二次元コード４をお年寄りの居所に設置した例について説明したが、対象者が外出時に所持する構成とすることも可能である。この場合、コメントとして「コンビニに寄りました」や「○○病院に来ました」等の外出時の状況を示す情報を設定しておき、お年寄りが外出した際、外出先において第三者がこのコメントが設定された二次元コードを読み取るようにすれば良い。
【００４４】
さらに、本実施形態においては、日記作成システムの構成の一部として二次元コード４を使用しているが、日記作成システムからは独立した近況情報作成システムとして、対象者の近況に関する情報を取得する構成とすることも可能である。
【産業上の利用可能性】
【００４５】
本発明の近況情報作成システム、近況情報作成プログラムおよび近況情報作成方法、並びに、日記作成システム、日記作成プログラムおよび日記作成方法は、被介護者などのお年寄り等の見守り対象者の近況に関する情報を作成する近況情報作成システム、近況情報作成プログラムおよび近況情報作成方法、並びに、対象者の近況に関する日記を作成するための日記作成システム、日記作成プログラムおよび日記作成方法として有用である。
【符号の説明】
【００４６】
１  日記装置
２  第１の端末
３  第２の端末
４  二次元コード
１０  記憶手段
１１  第１日記作成ページ提供手段
１２  第２日記作成手段
１３  日記表示ページ提供手段
１４  二次元コード設定手段
【図１】
0006653936.tif 000002
【図２】
0006653936.tif 000003
【図３】
0006653936.tif 000004
【図４】
0006653936.tif 000005
【図５】
0006653936.tif 000006
【図６】
0006653936.tif 000007
【図７】
0006653936.tif 000008
【図８】
0006653936.tif 000009
【図９】
0006653936.tif 000010
【図１０】
0006653936.tif 000011
【図１１】
0006653936.tif 000012